(57)【要約】      （修正有）【課題】空気ポンプの吐出する空気を洗剤に吹き込んで生成する空気混合洗剤での洗剤泡の粒の大きさを極力小さい泡にして洗浄能率を高めること。そしてまた、ねばねばした洗顔剤と水との混合をボトル内で行い、且つ吹き出す洗剤泡を外部に漏れないようにすること。【解決手段】洗剤をいれるタンク１と底板１１ａ付でなる本体１１に内設する乾電池２とそれに配線してなるスイッチ体３を介在して作動するモーター４に連結する空気ポンプ体５から吐出する空気圧をブリッジ状５ａの空気圧導入通路体６を通過させて、多孔質でなる気泡ストン７によって分散して噴出する無数の空気流がタンク１内に詰込まれた洗剤Ａに混合し、その空気混合洗剤の粗い粒の大きい洗剤泡Ａａをタンク１の開口部１ａに、フィルター９を着脱自在に係合させて、そのフィルター９を通過させることで、粒の大きい洗剤泡Ａａを更に微細の洗剤泡Ａａ’にする。【選択図】  図１
2005000621.tif 000002
【特許請求の範囲】
【請求項１】
洗剤（Ａ）を入れるタンク（１）と底板（１１ａ）付でなる本体（１１）に内設する乾電池（２）とそれに配線してなるスイッチ体（３）を介在して作動するモーター（４）に連結する空気ポンプ体（５）から吐出する空気圧をブリッジ状（５ａ）の空気圧導入通路体（６）を通過させて、多孔質でなる気泡ストン（７）によって分散して噴出する無数の空気流がタンク（１）内に詰め込まれた洗剤（Ａ）に混合し、その空気混合洗剤が無数の洗剤泡（Ａａ）成生可能にした泡発生装置において、前記するタンク（１）の開口部（１ａ）にタンク（１）内で成生する洗剤泡（Ａａ）を更に微細な洗剤泡（Ａａ’）成生のための１枚のメッシュ（８）或いは２枚以上のメッシュ（８）を所定の間隔を置いて重ねてフィルターケース（９ａ）に収納構成したフィルター（９）を具備し、そのフィルターケース（９ａ）の上部表面に開口するフィルター小孔（９ｂ）から微細な洗剤泡（Ａａ’）を噴出可能で着脱自在に係合可能にしたことを特徴とする泡発生装置。
【請求項２】
上記タンク（１）の開口部（１ａ）に設けたフィルター（９）から噴出する微細な洗剤泡（Ａａ’）をためるための泡トレイ−（１０）をフィルター（９）に係合して開口部（１ａ）に着脱自在に係止可能にしたことを特徴とする請求項１記載の泡発生装置。
【請求項３】
上記するタンク（１）の底面（１ｂ）に本体（１１）に収納した攪拌モーター（１２）の回転軸に差込まれて回動する攪拌羽根（１３）を露出してタンク（１）内の洗剤（Ａ）で水にとけにくい練状の洗顔剤などの水との攪拌を可能にしたことを特徴とする請求項１又は２項記載の泡発生装置。
【発明の詳細な説明】
【０００１】
【発明の属する技術分野】この発明は、石鹸液や練状の洗顔剤を使って多孔質でなる気泡ストンに空気ポンプから吐出する空気圧を石鹸液や練状の洗顔剤に吹き込んで空気混合石鹸液を石鹸泡に生成する泡発生装置の改良に関する。
詳しくは、微細な洗剤泡を生成し、且つその微細な洗剤泡を溜めることの出来る泡発生装置で、且つ練状の洗顔剤を水と混合攪拌することの出来る泡発生装置にに関する。
【０００２】
【従来の技術】此の種の従来技術として、図３で示すように一般的に知られる泡発生装置は、洗剤Ａ’をタンク１’に入れ、開口部１ａ’に着脱自在なノズル１４付のキャップ１５で閉成される。
【０００３】そして、本体１１’内部に乾電池２’とそれに配線してなるスイッチ体３’を介在して作動するモーターに連絡する空気ポンプ体から吐出する空気圧をブリッジ状の５ａ’の空気圧導入通路６’を通過させて、多孔質でなる気泡ストン７’によって噴出する無数の空気流がタンク１’に詰込まれた洗剤Ａ’に混合する。
【０００４】そして、その空気混合洗剤がタンク１’内で生成する洗剤泡Ａａ”となってノズル１４よりスイッチ体３’が閉成状態の間中吹出し、ノズル１４より出る洗剤泡Ａａ”を手の平などに受けて使用し、スイッチ体３’の開成状態によってノズル１４より吹き出す洗剤泡Ａａ”がストップする。
【０００５】
【発明が解決しようとする課題】しかしながら上記する従来技術の場合、ノズルから吹出す洗剤泡は比較的大粒状に手の平にあっという間に広がって外部にたれおちるなどの課題が残る。
【０００６】そしてまた、片方の手にノズルから吹出す洗剤泡を取り出し片手はスイッチ操作を余儀なくしなければならず両方の手を同時に使わなければならないという課題がある。
【０００７】次に洗剤が石鹸液と違った洗顔フォームのようにねばねばした練状のものは水に溶けにくいので市販される洗顔フォームは泡発生装置に適合しにくいという課題がある。（泡にならないということ）
【０００８】即ち、従来の市販品での洗顔フォームはチューブ入れで、手に適量絞り出してから、水又はぬるま湯を加えて手を擦って泡立て、顔を洗っているので泡発生装置のタンクで水と洗顔フォームを混入するのに不可能であるということになる。
【０００９】ということで、泡発生装置に使用する洗顔フォームは特殊な成分配合での別売品での洗剤を調達しなければ使用出来ないという課題がある。
【００１０】
【課題を解決するための手段】この発明はかかる課題を解決するために、請求項１での発明は、図１で述べるように、洗剤Ａを入れるタンク１と乾電池２とそれに配線してなるスイッチ体３を介在して作動するモーター４に連結する空気ポンプ体５から吐出する空気圧をブリッジ状（５ａ）の空気圧導入通路体６を通過させて、多孔質でなる気泡ストン７によって噴出する無数の空気流がタンク１に詰込まれた洗剤Ａに混合し、その空気混合洗剤が無数の洗剤泡Ａａを生成可能にしている。
【００１１】これらの泡発生装置において、前記するタンク１の開口部１ａに、タンク１内で生成する洗剤泡Ａａを更に微細な洗剤泡Ａａ’生成のために、１枚のメッシュ８を所定の間隔を置いて重ねてフィルターケース９ａに収納構成したフィルター９を具備し、そのフィルターケース９ａの表面に開口するフィルター小孔９ｂから微細な洗剤泡Ａａ’を噴出する構成である。
【００１２】次に第２項についての発明を上記発明と同じ図１を兼用して述べるに、上記するタンク１の開口部１ａに設けたフィルター９から噴出する微細な洗剤泡Ａａ’をためるための泡トレイ１０を開口部１ａに着脱自在に係止可能にした構成である。
【００１３】そしてまた、次に第３項についての発明を上記発明と同じ図１を更に兼用して述べるに、上記タンク１の底面１ｂに本体１１に収納した攪拌モーター１２の攪拌羽根１３を露出し、タンク１内の洗剤Ａ特に、練状の洗顔剤に混入させた水との攪拌を可能にした構成である。
【００１４】
【発明の実施の形態】以下に図示の実施例に基づいて本発明を更に詳細に説明する。即ち図１図２は本発明での第１、第２、第３実施例に基づく全体を示す斜視図であるが、本発明の第１実施例は、成形品で透明樹脂材の底部１ｂ付で且つ上部に円形状の開口部１ａでなる洗剤Ａを入れるタンク１と、それと一体化する成形品でなる本体１１からなり、その底板１１ａ付での本体１１に内設する乾電池２とそれに配線してなるスイッチ体３を介在して作動するモーター４とで構成する。
【００１５】そして、上記するモーター４は空気ポンプ体５に連絡バー４ａによって連結されてピストン運動が、その空気ポンプ体５の空気弁を介在しての作動によって空気ポンプ体５の吐出口にさし込まれたシリコンチューブ４ｂの中空を空気圧が通過し、ブリッジ状５ａの空気圧導入通路体６の端部入口から侵入した空気圧は矢印方向に進み空気圧導入通路体６の他の端部を通過して、多孔質でなる空気の通路が無数に広がる気泡ストン７の底部の入口に直結される。
【００１６】これらの気泡ストン７に入った空気ポンプ体５からの空気圧は気泡ストン７の外周の小孔から無数に外部に吹出すが、この気泡ストン７は、タンク１に詰込まれた洗剤Ａの底部１ｂに設けられることでタンク１内の洗剤Ａに気泡ストン７から吹き出す空気圧が勢いよく洗剤Ａに混入し、空気混合洗剤が洗剤泡Ａに生成する。
【００１７】今、上記するタンク１の開口部１ａは図２で示すフィルター９によって封印されていることで、生成するタンク１内での洗剤泡Ａは必然的に開口部１ａに向けて進出している。
【００１８】次に、このようなタンク１内で生成される洗剤泡Ａは比較的粗い粒の大きい洗剤泡Ａで洗剤力が劣り、これらの粒の大きい洗剤力の小さい粒状を微細な粒状にし洗剤濃度を高めるため本考案でのフィルター９を通過させることになる。
【００１９】今これらのフィルター９は、図２で述べるようにタンク１の開口部１ａに密着するおわん状で両側面に開口部を持つフィルター内ケース９Ｃの一部の開口部に細い目のついた薄いメッシュ８で封印される。
【００２０】そして、そのメッシュ８にリングＢとフィルター中ケース９ｅが積み重ねられて更に目のついた薄いメッシュ８がリングＡ９ｆにはさまれてフィルターケース９ａ内に内蔵されて構成する。
【００２１】このように２枚の目のついた薄いメッシュ８を洗剤泡Ａがタンク１内で気泡ストンの外周の小孔から無数に外部に吹き出す空気混合洗剤の洗剤泡Ａが膨張しタンク１内での空気圧の高まりによって２枚の細い目のついた夫々のメッシュ８を押し出されることで微細な洗剤泡Ａａ’がフィルター小孔９ｂから飛び出すことになる。
【００２２】次に第２実施例について述べるに、上記第１実施例でのフィルターケース９ａの表面のフィルター小孔９ｂから飛び出す洗剤泡Ａａ’が一定の量だけため置き出来、そのため置きの洗剤泡Ａａ’を適時取出して使えるための、おわん状の取り出し口の広い泡トレイ１０をタンク１の開口部１ａに設けたフィルター９に係合して、開口部１ａに着脱自在に係止可能にした構成にしている。
【００２３】次に第３実施例について述べるに、上記するタンク１の底部１ｂに本体１１に収納した攪拌モーター１２の回転軸にさし込まれて回動する攪拌羽根１３を露出して、タンク１内の洗剤Ａが特に水にとけにくい練状の洗顔剤などの攪拌をするためにその攪拌モーター１２を回動して、良く水と洗顔剤を混ぜ合わせて液状の状態にすることで洗剤泡Ａａ’を生成可能にしたものである。
【００２４】これらの構成は、攪拌モーター１２の動作するためのスイッチ体３と空気ポンプ体５のモーター４を動作するスイッチ体３はそれぞれ個別に配置されて構成することになる。
【００２５】
【発明の効果】本発明は、上述の通り構成作用するので次の優れた効果を奏する。即ち、第１実施例で述べるように洗剤を泡立てるのに非常に微細の洗剤泡が生成出来ることで汚れを落とす効果的な洗剤泡を生成可能な泡発生装置を提供することが出来る。
【００２６】そしてまた、第２実施例で述べるように発生する洗剤泡を泡トレイに溜め置き出来ることで適時一度に何回か継続して洗剤泡を使用することの出来る泡発生装置を提供することが出来る。
【００２７】そとてまた、第３実施例で述べるように、水と混ざりにくい洗顔剤などのどろどろした練状の洗剤も攪拌モーターを回動することで適当に水と洗顔剤が混合することで、洗剤泡が容易に生成の出来る泡発生装置を提供出来る。
【図面の簡単な説明】
【図１】本発明に係わる実施例での１部断面で全体を示す斜視図である。
【図２】本発明に係わる実施例でフィルターの分解図での一部断面での全体
斜視図である。
【図１】従来技術での１部断面での斜視図である。
【符号の説明】
Ａ．Ａ’      洗剤
Ａａ．Ａａ’．Ａａ”  洗剤泡
１．１’      タンク
１ａ．１ａ’  開口部
１ｂ          底部
２．２’      乾電池
３．３’      スイッチ体
４            モーター
４ａ          連結バー
５            空気ポンプ体
５ａ．５ａ’  ブリッジ状
６．６’      空気圧導入通路体
７．７’      気泡ストン
８            メッシュ
９            フィルター
９ａ          フィルターケース
９ｂ          フィルター小孔
１０          泡トレイ
１１．１１’  本体
１１ａ．１１ａ’    底板
１２          攪拌モーター
１３          攪拌羽根
１４          ノズル
１５          キャップ
【図１】
2005000621.tif 000003
【図２】
2005000621.tif 000004
【図３】
2005000621.tif 000005
【手続補正書】
【提出日】平成15年8月29日(2003.8.29)
【手続補正１】
【補正対象書類名】明細書
【補正対象項目名】図面の簡単な説明
【補正方法】変更
【補正の内容】
【図面の簡単な説明】
【図１】本発明に係わる実施例での一部断面で全体を示す斜視図である。
【図２】本発明に係わる実施例でフィルターの分解図での一部断面での全体斜視図である。
【図３】従来技術での一部断面での斜視図である。
【符号の説明】
Ａ．Ａ’              洗剤
Ａａ．Ａａ’．Ａａ”  洗剤泡
１．１’              タンク
１ａ．１ａ’          開口部
１ｂ                  底部
２．２’              乾電池
３．３’              スイッチ体
４                    モーター
４ａ                  連結バー
５                    空気ポンプ体
５ａ．５ａ’          ブリッジ状
６．６’              空気圧導入通路体
７．７’              気泡ストン
８                    メッシュ
９                    フィルター
９ａ                  フィルターケース
９ｂ                  フィルター小孔
１０                  泡トレイ
１１．１１’          本体
１１ａ．１１ａ’      底板
１２                  攪拌モーター
１３                  攪拌羽根
１４                  ノズル
１５                  キャップ